(57)【要約】【課題】入力操作及びその入力結果の表示を行う際の操作ミスを確実に防止することが可能な表示操作装置を提供する。【解決手段】操作キー１９の入力操作及びその解除によって入力を受け付ける操作入力部１３と、操作キー１９の入力操作が解除されずに保持されている間、入力操作に応じた入力結果を画面上に暫定的に表示する暫定表示部１５と、入力操作を保持したまま所定時間経過すると入力結果の表示を確定又はリセットして確定的な表示を行う確定表示部１７とを備える。【選択図】図１
2014193538.tif 000002
【特許請求の範囲】
【請求項１】
操作キーの入力操作及びその解除によって入力を受け付ける操作入力部と、
前記操作キーの入力操作が解除されずに保持されている間、前記入力操作に応じた入力結果を画面上に暫定的に表示する暫定表示部と、
前記入力操作を保持したまま所定時間経過すると前記入力結果の表示を確定又はリセットして確定的な表示を行う確定表示部と、
を備えたことを特徴とする表示操作装置。
【請求項２】
請求項１記載の表示操作装置であって、
前記確定表示部は、前記所定時間の経過前に前記入力操作が解除されると前記操作入力部での入力が受け付けられて前記入力結果の表示を確定し、前記入力操作を保持したまま所定時間経過すると前記入力結果の表示をリセットする、
ことを特徴とする表示操作装置。
【請求項３】
請求項２記載の表示操作装置であって、
前記入力操作を保持したまま前記所定時間が経過するまでの間に前記入力結果の表示を徐々に前記リセット後の表示に切り替える表示切替部を備えた、
ことを特徴とする表示操作装置。
【請求項４】
請求項１〜３の何れか一項に記載の表示操作装置であって、
前記入力操作の保持中に経過時間のカウントを表示するカウント表示部を備えた、
ことを特徴とする表示操作装置。
【請求項５】
請求項１〜４の何れか一項に記載の表示操作装置であって、
前記所定時間の経過を音又は前記操作キーの振動により通知する通知部を有する、
ことを特徴とする表示操作装置。
【請求項６】
請求項１〜５の何れか一項に記載の表示操作装置を備えた画像形成装置。
【請求項７】
操作キーの入力操作及びその解除によって入力を受け付ける操作入力機能と、
前記操作キーの入力操作が解除されずに保持されている間、前記入力操作に応じた入力結果を画面上に暫定的に表示する暫定表示機能と、
前記入力操作を保持したまま所定時間経過すると前記入力結果の表示を確定又はリセットして確定的な表示を行う確定表示機能と、
をコンピューターに実現させることを特徴とする表示操作プログラム。
【発明の詳細な説明】
【技術分野】
【０００１】
本発明は、設定等のための入力を行わせ、その入力結果を表示する表示操作装置及びプログラム並びに画像形成装置に関する。
【背景技術】
【０００２】
デジタル複合機等の画像形成装置としては、タッチパネル式の画面を有するパネルユニットを表示操作装置として備え、各種設定の入力操作やその入力結果の表示等をパネルユニットの画面を通じて行うものが知られている。
【０００３】
近年の画像形成装置では、その機能の複雑化に伴い、パネルユニット上でも複雑な設定を行うことができるようになってきている。その反面、パネルユニットの１画面あたりに配置される操作キーの数が増加し、操作ミスによって入力操作がなされることがある。
【０００４】
これに対し、同一の操作キーを２回連続して操作することによりキーがエントリーされる誤操作防止モードや所定時間以上操作した場合のみキーがエントリーされる誤操作防止モードなどが知られている（例えば特許文献１）。
【０００５】
しかし、それらの誤作動防止モードでは、２回連続して操作がされ或いは所定時間以上入力操作を行って初めてキーがエントリーされて入力結果が表示されるので、その時点で操作ミスに気づいても、その操作ミス自体を防止することはできないという問題がある。
【先行技術文献】
【特許文献】
【０００６】
【特許文献１】特開２００５−４７１０７号公報
【発明の概要】
【発明が解決しようとする課題】
【０００７】
本発明が解決しようとする問題点は、入力操作及びその入力結果の表示を行う際の操作ミスの防止に限界があった点である。
【課題を解決するための手段】
【０００８】
本発明は、入力操作及びその入力結果の表示を行う際の操作ミスを確実に防止するため、操作キーの入力操作及びその解除によって入力を受け付ける操作入力部と、前記操作キーの入力操作が解除されずに保持されている間、前記入力操作に応じた入力結果を画面上に暫定的に表示する暫定表示部と、前記入力操作を保持したまま所定時間経過すると前記入力結果の表示を確定又はリセットして確定的な表示を行う確定表示部とを備えたことを最も主な特徴とする。
【発明の効果】
【０００９】
本発明によれば、操作キーの入力が受け付けられる前に、操作キーの入力操作を解除せずに保持することで入力結果を暫定的に表示させて確認することができる。
【００１０】
そして、暫定的な入力結果の表示を通じて操作ミスが確認された場合、入力操作の保持が所定時間経過する前は暫定的な入力結果の表示を確定させず、或いは入力操作の保持が所定時間行われることで暫定的な入力結果の表示をリセットし、操作ミスを確実に防止することが可能となる。
【図面の簡単な説明】
【００１１】
【図１】パネルユニットを有する画像形成装置を示すブロック図である（実施例１）。
【図２】表示操作処理を示すフローチャートである（実施例１）。
【図３】表示操作処理に基づく設定画面例である（実施例１）。
【図４】パネルユニットを有する画像形成装置を示すブロック図である（実施例２）。
【図５】経過時間のカウントを追加した設定画面例である（実施例２）。
【図６】経過時間のカウントを追加した設定画面例である（実施例２）。
【図７】パネルユニットを有する画像形成装置を示すブロック図である（実施例３）。
【図８】暫定的な入力結果の表示を徐々にリセット後の表示に切り替える設定画面例である（実施例３）。
【図９】暫定的な入力結果の表示を徐々にリセット後の表示に切り替える設定画面例である（実施例３）。
【図１０】パネルユニットを有する画像形成装置を示すブロック図である（実施例４）。
【発明を実施するための形態】
【００１２】
入力操作及びその入力結果の表示を行う際の操作ミスを確実に防止するという目的を、操作キーの入力操作及びその解除によって入力を受け付ける場合に、操作キーの入力操作が解除されずに保持されている間、入力操作に応じた入力結果を画面上に暫定的に表示することで実現した。
【００１３】
入力操作を保持したまま所定時間経過すると入力結果の表示を確定又はリセットして確定的な表示を行う。好ましくは、入力操作を保持したまま所定時間経過すると入力結果の表示をリセットする。
【００１４】
以下、本発明の実施例について図面を参照して説明する。
【実施例１】
【００１５】
［画像処理装置の構成］
図１は、パネルユニットを有する画像形成装置を示すブロック図である。
【００１６】
本実施例の画像形成装置１は、例えばデジタル複合機等からなり、プリント機能、コピー機能、ファクシミリ機能等の各種の機能を備えている。本実施例の画像形成装置１は、それらの機能に応じた構成の他に、表示操作装置としてのパネルユニット３を備えている。なお、図１では、各種機能に応じた構成は省略している。
【００１７】
パネルユニット３は、表示操作画面５、操作ボタン７、及びパネル制御部９等を備えている。
【００１８】
表示操作画面５は、タッチパネル式の液晶表示画面等からなり、画像形成装置１に対する入力操作やその入力結果の表示を行わせるものである。
【００１９】
操作ボタン７は、表示操作画面５と共に画像形成装置１に対する入力操作を行わせるものである。
【００２０】
パネル制御部９は、プロセッサー、及びその動作プログラムを記憶するＲＯＭ（Read only Memory）等からなる。このパネル制御部９は、表示操作プログラムを実行することにより、表示操作画面５上での入力操作及びその入力結果の表示を制御する。具体的には、パネル制御部９が操作入力部１３、暫定表示部１５、確定表示部１７として機能する。
【００２１】
操作入力部１３は、操作入力機能を実現するものであり、操作キー１９の入力操作及びその解除によって入力を受け付ける。具体的には、操作入力部１３によって操作キー１９が表示操作画面５上に表示され、ユーザーが操作キー１９を触れた後に離すことで入力操作及びその解除による入力が受け付けられる。操作ボタン７も操作キーとして機能し、ユーザーが押下及び解除することで入力が受け付けられる。
【００２２】
暫定表示部１５は、暫定表示機能を実現するものであり、操作キー１９の入力操作が解除されずに保持されている間、入力操作に応じた入力結果を表示操作画面５上に暫定的に表示する。
【００２３】
確定表示部１７は、確定表示機能を実現し、入力操作を保持したまま所定時間経過すると、入力結果の表示を確定又はリセットして確定的な表示を行う。
【００２４】
本実施例の確定表示部１７は、所定時間の経過前に入力操作が解除されると、操作入力部１３での入力が受け付けられて入力結果の表示を確定する。また、確定表示部１７は、入力操作を保持したまま所定時間経過すると、入力結果の表示をリセットする。このために、確定表示部１７は、操作キー１９の入力操作の保持時間をカウントする。
【００２５】
所定時間の経過の判断は、操作入力部１３で入力操作及びその解除を通じた入力の受け付けに応じて行えばよい。
【００２６】
なお、所定時間経過によって暫定的な入力結果の表示を確定させる場合は、確定表示部１７が、所定時間の経過前に操作入力部１３での入力操作の解除があっても、それによって受け付けられた入力を無効化すればよい。
［表示操作処理］
図２は、表示操作処理を示すフローチャート、図３は、表示操作処理に基づく設定画面例である。
【００２７】
本実施例の表示操作処理は、表示操作画面５上に図３（ａ）の設定画面を表示している場合を例に説明する。この例では、設定画面上のＥｄｉｔキー（操作キー）１９の入力が受け付けられると、その入力結果として図３（ｂ）の次画面を表示するようになっている。
【００２８】
表示操作処理は、まず図２のステップＳ１において「操作キーの入力操作」が行われる。この処理では、操作入力部１３が図３（ａ）の表示操作画面５上で操作キー１９の入力操作を受け付けると、ステップＳ２へ移行する。
【００２９】
ステップＳ２では、「次画面表示」が行われる。この処理では、操作キー１９の入力操作に応じて暫定表示部１５が図３（ｂ）の次画面の表示を行わせ、ステップＳ３へ移行する。
【００３０】
ステップＳ３では、「入力操作の解除？」が行われる。この処理では、操作入力部１３が操作キー１９の入力操作が解除されたか否かを判断する。入力操作が解除された場合は、入力操作に基づく入力が受け付けられてステップＳ４へ移行する（ＹＥＳ）。
【００３１】
一方、入力操作が解除されていない場合はステップＳ２からの処理を繰り返す（ＮＯ）。すなわち、操作キー１９の入力操作が解除されずに保持されている限り、暫定表示部１５による次画面の表示が維持される。このときの次画面の表示時間、つまり操作キー１９の入力操作の保持時間を確定表示部１７がカウントすることになる。
【００３２】
ステップＳ４では、「入力操作の保持状態で所定時間経過？」の処理が行われる。この処理では、操作入力部１３で入力の受け付けに応じて、確定表示部１７が操作キー１９の入力操作の保持状態で所定時間経過したか否かを判断する。
【００３３】
所定時間経過した場合はステップＳ５へ移行し（ＹＥＳ）、所定時間経過していない場合はステップＳ６へ移行する（ＮＯ）。
【００３４】
ステップＳ５では、「前画面表示」が行われる。この処理では、入力操作及びその解除によって受け付けられた入力を完了させることなく、確定表示部１７が暫定的に行われていた次画面表示をリセットする。これにより、前画面表示が確定的に行われ、つまり、操作キー１９の入力操作前の画面に戻されることになる。
【００３５】
一方、ステップＳ６では、「次画面表示」が行われる。この処理では、確定表示部１７が入力操作及びその解除によって受け付けられた入力を完了させ、暫定的に行われていた次画面表示を確定する。これにより、次画面表示が確定的に行われることになる。
［実施例１の効果］
本実施例のパネルユニット３は、操作キー１９の入力操作及びその解除によって入力を受け付ける操作入力部１３と、操作キー１９の入力操作が解除されずに保持されている間、入力操作に応じた入力結果を画面上に暫定的に表示する暫定表示部１５と、入力操作を保持したまま所定時間経過すると入力結果の表示を確定又はリセットして確定的な表示を行う確定表示部１７とを備える。
【００３６】
従って、本実施例では、操作キー１９の入力が受け付けられる前に、操作キー１９の入力操作を解除せずに保持することで、入力結果を暫定的に表示させて確認することができる。
【００３７】
そして、本実施例では、暫定的な入力結果の表示を通じて操作ミスが確認された場合、入力操作の保持状態で所定時間経過する前は暫定的な入力結果の表示を確定させず、或いは入力操作の保持状態で所定時間経過すると暫定的な入力結果の表示をリセットし、操作ミスを確実に防止することが可能となる。
【００３８】
本実施例では、確定表示部１７が所定時間の経過前に入力操作が解除されると、操作入力部１３での入力が受け付けられて暫定的な入力結果の表示を確定し、入力操作を保持したまま所定時間経過すると、入力結果の表示をリセットする。
【００３９】
従って、本実施例では、操作に慣れたユーザーの場合等に、入力操作及びその解除によって直ちに確定的な入力結果を表示させることも可能となる。結果として、操作ミスを確実に防止することができながら、ユーザーの利便性を向上することができる。
【００４０】
この場合、誤作動防止モードと通常モードとの切替も不要となり、ユーザーの利便性を更に向上することができる。
【実施例２】
【００４１】
図４は、パネルユニットを有する画像形成装置を示すブロック図である。なお、実施例２は、実施例１と基本構成が共通するため、対応する部分に同符号或いは同符号にＡを付したものを用いて、重複した説明を省略する。
【００４２】
本実施例の画像形成装置１Ａは、実施例１の画像形成装置１にカウント表示部２１を付加したものである。
【００４３】
カウント表示部２１は、カウント表示機能を実現し、操作キー１９に対する入力操作の保持中に、その経過時間のカウントを暫定的な入力結果と共に表示する。カウントの表示は、確定表示部１７のカウント時間を利用して行わせることができ、表示方法としては、特に限定されないが、例えばカウントダウンの数字やプログレスバー等を図３の次画面（入力結果）上に追加すればよい。
【００４４】
図５及び図６は、経過時間のカウントを追加した設定画面例である。図５は、カウントダウン表示を追加した例であり、図６は、プログレスバーを追加した例である。
【００４５】
図５（ａ）及び図６（ａ）の設定画面上でＥｄｉｔキー（操作キー）１９の入力操作が行われると、図５（ｂ）〜（ｅ）及び図６（ｂ）〜（ｅ）のように、暫定的な次画面上で所定時間経過までのカウントダウン表示ＣＤ又はプログレスバー表示ＢＡを順次行うことができる。
【００４６】
このように、本実施例では、カウントダウン表示ＣＤやプログレスバー表示ＢＡ等のカウント表示によって、ユーザーが所定時間経過までのタイミングを認識しながら暫定的な次画面（入力結果）を確認することができる。その他、実施例１と同様の作用効果を奏することができる。
【実施例３】
【００４７】
図７は、パネルユニットを有する画像形成装置を示すブロック図である。なお、実施例３は、実施例２と基本構成が共通するため、対応する部分に同符号或いは同符号にＢを付したものを用いて、重複した説明を省略する。
【００４８】
本実施例の画像形成装置１Ｂは、実施例２のカウント表示部２１に代えて、表示切替部２３を備えたものである。
【００４９】
表示切替部２３は、操作キー１９に対する入力操作を保持したまま所定時間が経過するまでの間に、暫定的な入力結果の表示を徐々にリセット後の表示に切り替える。
【００５０】
表示の切替は、確定表示部１７のカウント時間に応じて行わせることができ、切替方法としては、特に限定されないが、例えば実施例１の図３の次画面（入力結果）を徐々に薄くしたり或いは前画面（入力前）に遷移させればよい。
【００５１】
図８及び図９は、暫定的な入力結果の表示である次画面を徐々にリセット後の表示に切り替える設定画面例である。図８は、次画面を徐々に薄くする例であり、図９は、次画面を徐々に前画面に遷移させる例である。
【００５２】
図８（ａ）及び図９（ａ）の、設定画面上でＥｄｉｔキー（操作キー）１９の入力操作が行われると、図８（ｂ）〜（ｅ）のように暫定的な次画面を確定表示部１７のカウント時間に応じて徐々に薄くしていき、或いは図９（ｂ）〜（ｅ）のように確定表示部１７のカウント時間に応じて徐々に左端から前画面が現れて遷移していく。
【００５３】
これにより、本実施例においても、上記実施例２と同様の作用効果を奏することができる。
【実施例４】
【００５４】
図１０は、パネルユニットを有する画像形成装置を示すブロック図である。なお、実施例４は、実施例１と基本構成が共通するため、対応する部分に同符号或いは同符号にＣを付したものを用いて、重複した説明を省略する。
【００５５】
本実施例の画像形成装置１Ｃは、実施例１の画像形成装置１に通知部２５を付加したものである。
【００５６】
通知部２５は、操作キー１９に対する入力操作を保持したまま所定時間が経過すると、その所定時間の経過を音又は操作キー１９の振動によりユーザーに通知する。通知は、確定表示部１７が所定時間の経過を通知部２５に知らせ、これに応じて通知部２５が行うことができる。
【００５７】
音による通知は、画像形成装置１Ｃに備えられている印刷完了時のアラーム等を利用してアラーム音を発生させる。振動による通知は、圧電素子やモーター等により表示操作画面５や操作ボタン７を振動させればよい。
【００５８】
本実施例では、暫定的な入力結果の視認性を妨げることなく、ユーザーに所定時間の経過を認識させることができる。その他、実施例１と同様の作用効果を奏することができる。
［その他］
上記実施例では、設定画面を入力結果としての次画面へ切り替える場合について説明したが、本発明は、次画面への切り替えを伴わない入力結果の表示にも適用することが可能である。
【符号の説明】
【００５９】
１  画像形成装置
３  パネルユニット（表示操作装置）
５  表示操作画面
７  操作ボタン（操作キー）
１３  操作入力部
１５  暫定表示部
１７  確定表示部
１９  操作キー
２１  カウント表示部
２３  表示切替部
２５  通知部
【図１】
2014193538.tif 000003
【図２】
2014193538.tif 000004
【図３】
2014193538.tif 000005
【図４】
2014193538.tif 000006
【図５】
2014193538.tif 000007
【図６】
2014193538.tif 000008
【図７】
2014193538.tif 000009
【図８】
2014193538.tif 000010
【図９】
2014193538.tif 000011
【図１０】
2014193538.tif 000012